(57)【要約】【課題】ガスケットの使用環境を小スケールで実現して、ガスケットの漏洩試験を簡便に実施でき、特に、融点が高く常温では固体であるために取り扱いが難しく、これまで評価が困難であった、高温下で腐食性薬液が気体液体混合状態にある配管等に使用されるガスケットの評価を、より簡便に行うことができ、これまで実機試験によらなければ困難であったガスケットの評価をより簡便に評価する方法を確立することを課題とする。【解決手段】  筒体２の一端を閉鎖し他端にフランジ３を設けたパーツＡと、筒体４の両端にフランジ５，６を設けたパーツＢと、筒体７の一端を閉鎖し他端にフランジ８を設けるとともに筒体７に漏洩量測定用の気体導入孔９を設けたパーツＣと、各フランジの締結手段１０と、シール部材１１とからなり、漏洩量測定時に、供試ガスケット１８をパーツＡとパーツＢのフランジ３，５間に介装し、シール部材１１をパーツＣとパーツＢのフランジ６，８間に介装して、対峙するフランジを締結手段１０で締結して使用する構成である。【選択図】  図２
2005326264.tif 000002
【特許請求の範囲】
【請求項１】
筒体の一端を閉鎖し他端にフランジを設けたパーツＡと、筒体の両端にフランジを設けたパーツＢと、筒体の一端を閉鎖し他端にフランジを設けるとともに筒体に漏洩量測定用の気体導入孔を設けたパーツＣと、パーツＢの両端のフランジに対峙させたパーツＡ並びにパーツＣのフランジを互いに締結する締結手段と、パーツＢとパーツＣのフランジ間に介装するシール部材とからなり、漏洩量測定時に、供試ガスケットをパーツＡとパーツＢのフランジ間に介装してこの両フランジを締結手段で締結し、かつ、シール部材をパーツＣとパーツＢのフランジ間に介装して両フランジを締結手段で締結して使用する構成を特徴とするガスケットの漏洩量測定装置。
【請求項２】
筒体の一端を閉鎖し他端にフランジを設けたパーツＡと、筒体の一端を閉鎖し他端にフランジを設けるとともに筒体に漏洩量測定用の気体導入孔を設けたパーツＣと、パーツＡのフランジに対峙させたパーツＣのフランジを互いに締結する締結手段とからなり、漏洩量測定時に、供試ガスケットをパーツＡとパーツＣのフランジ間に介装して両フランジを締結手段で締結して使用する構成を特徴とするガスケットの漏洩量測定装置。
【発明の詳細な説明】
【技術分野】
【０００１】
この発明は、化学工業プラントなどにおける各種の装置や配管のシール機能を担うガスケットの漏洩量測定装置に関するものである。
【背景技術】
【０００２】
さまざまな腐食性薬液が使用され、過酷な温度、圧力条件の下で稼動する化学工業プラントなどにおいては、装置や配管の「シール漏れ」は重大な事故を招くおそれがあり、シール機能(装置全体の密封性)を担うガスケットの選択は十分慎重に行うことが必要である。
【０００３】
目的に応じたガスケットを選択するには、その使用環境に応じた特性や評価をしなければならないが、現在のところ従来技術である概ね下記の（１）、（２）の評価方法にもとづいて行われる。
【０００４】
（１）基礎的評価方法(ガスケット基材や配合成分、物理的特性による評価方法)
この評価方法は、ガスケットを選択する際の第一の選択基準である。ガスケットの基材や成分、物理的特性(物理的強度、圧縮永久ひずみ、相手部材との「なじみ性」など)から、使用条件に適したガスケットを選択する方法である。
【０００５】
例えば、特定の腐食性薬液に使用するものであれば、当該薬液に対する耐薬品性の高い基材をベースとしたものを基準に選択すべきであるし、高温条件下での使用を目的とするものであれば、耐熱性の高い基材や成分を基準に選択すべきである。しかし、耐薬品性は温度条件によって変動し、耐熱性もガスケットが曝される薬液環境によって変動する。
【０００６】
また、ガスケット物理的特性の三つである圧縮永久歪も、ガスケットのシール性評価において重視される項目である。なぜなら、ガスケットの多くは比較的柔軟な物性を示すものゆえ、長時間の継続使用により、応力緩和を生じ、締め付け面圧の低下を引き起こし、やがては、シールに必要な締め付け面圧を下回ると、漏れを生じさせる。
【０００７】
しかし、ガスケットに加えられる初期締め付け面圧は、装置全体との関係で制約を受けることが多く、実際に負荷される初期締め付け面圧によって、そのガスケットの長期シール性は変動する。さらに、高温条件で使用される場合には、ガスケット材料の劣化の進行状況を勘案しなければならない。
【０００８】
すなわち、あらかじめ用意された、基礎的データ(カタログに掲載されている数値)は、一定条件下における評価数値であり、現実の使用環境における性能を保証するものとはいえない。
【０００９】
（２）漏洩を実測する方法
上記したように、ガスケットは使用条件、すなわち、ガスケットの締め付け時に加えられる締め付け面圧、温度条件によってシール性能にばらつきが生じることから、現実の使用条件に近い、締め付け面圧、温度条件を測定装置によって実施し、その条件において、実際に漏洩するガス流体を捕集し、捕集した容積から漏洩量を測定して評価する方法がある。
【００１０】
例えば、ビューレット法（ASTMF-586に準拠）は、図１０に示すように、加圧手段１０７によって荷重負荷の加えられたフランジ１０６で挟まれたガスケット１０１の内径側空洞部に、窒素ガス源１０５から供給される所定圧力の窒素ガスを負荷し、外径側に漏洩した窒素ガスをメタルスリーブ１０２とゴムＯリング１０３によって補集し、この補集した窒素ガスをゴム管１１０を介して、水を充填したビューレット１０４に導き、液面の低下から漏洩量を定量するものである。１０８はガスケットの歪みを計測するダイアルゲージ、１０９は窒素ガス計測用の圧力計である。
【００１１】
この方法の問題は、装置全体を加熱することが困難であることから、高温条件における漏洩試験が困難であり、高温によるガスケッットの劣化の影響を評価に反映させることができないという問題がある。また、腐食性薬液環境下で使用されるガスケットを評価するにあたっても、予め別途、当該薬液に浸漬するなど前処理が必要となり、簡便な評価は困難である。
【００１２】
以上の従来技術の問題点を整理すると、ガスケットが使用される環境は様々である。配管内部を通過する薬液の種類や温度条件によりシール性能、寿命(耐久性)が変わってくる。高温条件下、腐食性薬液環境下で使用されるガスケットを評価するには、基礎的評価方法だけでは不十分であるが、前記した漏洩量を実測する方法を採用する装置がない。このため、現在のところ信頼ある評価を行うには、これまでの経験則と実機試験によって評価するしかないのが現状である。しかし、大型の化学プラントの一部として組み込まれた配管やタンクに使用されるシール材について実機試験をすることは容易でないという問題がある。
【００１３】
さらに、高温用熱媒などの配管等に使用されるガスケットを評価をするためには、高温用熱媒体が高い腐食性を示し、人体に危険な物質であるとともに、融点が高いものが多く、常温では固体であるため、薬液に浸漬する処理から、漏洩試験の実施にいたるまで、その取り扱いに困難性を伴う。
【００１４】
また、多くの場合、配管内は気体液体混合状態の場合を想定してシール性を考える必要があり、液体と気体の両方の状態に対する漏洩量を実測して総合的に評価することが必要である。
【００１５】
本発明に関連する先行技術文献を例示しておく。
【特許文献１】特開２００１−６６２１６号公報
【特許文献２】特開２０００−１１１４４０号公報
【特許文献３】特開平９−２６４４２７号公報
【発明の開示】
【発明が解決しようとする課題】
【００１６】
本発明は、上述の従来技術の問題点に鑑みて開発されたものであり、その目的とするところは、ガスケットの使用環境を小スケールで実現し、かつ、その漏洩試験を簡便に実施でき、特に、融点が高く常温では固体であるために取り扱いが難しく、これまで評価が困難であった、高温下で腐食性薬液が気体液体混合状態にある配管等に使用されるガスケットの評価を、より簡便に行うことができて、これまで実機試験によらなければ困難であったガスケットの評価をより簡便に評価する方法を確立することができる、ガスケットの漏洩量測定装置を提供することにある。
【課題を解決するための手段】
【００１７】
本発明は上記した目的を有効に達成するために、次のような構成にしてある。すなわち、請求項１記載の本発明のガスケットの漏洩量測定装置は、筒体の一端を閉鎖し他端にフランジを設けたパーツＡと、筒体の両端にフランジを設けたパーツＢと、筒体の一端を閉鎖し他端にフランジを設けるとともに筒体に漏洩量測定用の気体導入孔を設けたパーツＣと、パーツＢの両端のフランジに対峙させたパーツＡ並びにパーツＣのフランジを互いに締結する締結手段と、パーツＢとパーツＣのフランジ間に介装するシール部材とからなり、漏洩量測定時に、供試ガスケットをパーツＡとパーツＢのフランジ間に介装してこの両フランジを締結手段で締結し、かつ、シール部材をパーツＣとパーツＢのフランジ間に介装して両フランジを締結手段で締結して使用する構成を特徴とする。
【００１８】
また、請求項２記載の本発明のガスケットの漏洩量測定装置は、筒体の一端を閉鎖し他端にフランジを設けたパーツＡと、筒体の一端を閉鎖し他端にフランジを設けるとともに筒体に漏洩量測定用の気体導入孔を設けたパーツＣと、パーツＡのフランジに対峙させたパーツＣのフランジを互いに締結する締結手段とからなり、漏洩量測定時に、供試ガスケットをパーツＡとパーツＣのフランジ間に介装して両フランジを締結手段で締結して使用する構成を特徴とする。
【発明の効果】
【００１９】
前記したような構成からなる本発明のガスケットの漏洩量測定装置では、ガスケットの使用環境を小スケールで実現できて、ガスケットの漏洩試験を簡便に実施でき、特に、高温下で腐食性薬液が気体液体混合状態にある配管等に使用されるガスケットの評価を、より簡便に行うことができて、かつ、これまで実機試験によらなければ困難であったガスケットの評価もより簡便に評価することができる。
【発明を実施するための最良の形態】
【００２０】
以下、図に示す本発明の実施するための最良の形態を示す漏洩量測定装置について説明する。図１〜図７は本発明にかかる一例のガスケットの漏洩量測定装置に関する図である。図示の漏洩量測定装置１は、筒体２の一端を閉鎖し他端にフランジ３を設けたパーツＡと、筒体４の両端にフランジ５，６を設けたパーツＢと、筒体７の一端を閉鎖し他端にフランジ８を設けるとともに筒体７に漏洩量測定用の気体導入孔９を設けたパーツＣとの、３つの主要部品に、さらに、パーツＢの両端のフランジ５，６に対峙させたパーツＡ並びにパーツＣのフランジを互いに締結する締結手段１０と、パーツＢとパーツＣのフランジ間に介装するシール部材１１等を備えた構成のものである。
【００２１】
前記の各パーツＡ、Ｂ、Ｃは、高温に耐え、腐食性薬液に対する耐食性金属からなる。また、各フランジ３、５、６、８は、それぞれ円周方向に所定の間隔を以ってボルト挿入用の複数（図示の例では４個）の貫通孔１２を有している。パーツＢのフランジ６と対峙するパーツＣのフランジ８の当接面８ａ側には、シール部材１１を装着する環状凹部１５が設けてある。勿論、シール部材１１を装着する環状凹部は、パーツＢとパーツＣの両方のフランジ６，８に設けてもよい。また、パーツＣのフランジ８側ではなく、パーツＢのフランジ６側に設けてもよい。
【００２２】
パーツＡの筒体２の一端側は、閉鎖形成されていて、円板１６を設けてある。また、パーツＣの筒体７の一端側も閉鎖形成されていて円板部１７を一体形成してある。さらに、パーツＣの筒体７には、漏洩量測定用のＮ2ガスを筒体７内に導入する前記した気体導入孔９を設けてある。
【００２３】
前記の締結手段１０は、この例ではボルト１３とナット１３とからなり、対峙するフランジ３と５、並びにフランジ６と８を締結する際に、各貫通孔１２にボルト１３を挿入してナット１３で締結する。勿論、締結手段１０は締結する両フランジを強く挟んで締結する万力のようなものであってもよい。
【００２４】
前記した各構成部品からなる漏洩量測定装置１は、パーツＢを中心にしてそれぞれのパーツＡ、Ｂ、Ｃの端部にあるフランジ３、５、６、８の各当接面を合わせ、締結手段１０であるボルト１３、ナット１４で締結して組み立てる構造になっている。
【００２５】
パーツＡとパーツＢのフランジ３、５間には、供試ガスケット１８(例えば、渦巻き形ガスケットやメタルジャケットガスケットなど、過酷な条件で使用されるガスケットなど)が介装される。一方、パーツＢとパーツＣのフランジ６，８間には、メタル中空○リング（シール部材１１の一例）が介装され、フランジ６，８間のシール性を確保している。このメタル中空○リング１１（便宜上、シール部材と同一符合を使用）は、供試ガスケット１８より高いシール性を発揮するガスケットであり、これにより、パーツＢＣ間の漏洩が被試験サンプルの漏洩量測定に影響を与えることがないようになっている。
【００２６】
なお、後述するように、この例の漏洩量測定装置１におけるパーツＣは、常温では固体としてハンドリングしなければならないため、本発明の漏洩量測定装置１を使用する上で、困難性を伴う薬液、具体的には、高温状態で使用される腐食性薬液に対するガスケットの評価には必要である。しかし、取り扱いが容易な常温下で液状の薬液に対する評価を行う場合は、必須の部品ではない。このような薬液のみを対象とするのであれば、パーツＢを有底の容体と、かつ、Ｎ2ガス導入孔を設けたより簡便な装置としてもよい。勿論、図８、図９に示すように前記したパーツＡとパーツＣとからなる構成の漏洩量測定装置１９とすれば、前記したような取り扱いが容易な常温下で液状の薬液に対する評価を行う装置として使用することができる。なお、漏洩量測定装置１９の構成は、前記した例の漏洩量測定装置１の構成からパーツＢを除いた構成であり、先の例と同一の箇所に同一符合を付して詳細な説明を省略する。
【００２７】
次に本発明に係る漏洩量測定装置１を用いたガスケット評価方法について説明する。
(１)気体漏洩の測定と液体漏洩の測定の必要性について
実機においで使用が予定される流体が液体であるならば、その試験としても液体での漏洩試験を実施すれば足りる場合もある。しかしながら、液体の漏洩は非常に定量しがたく、例えば漏洩の有無を確認する検査程度であれば有効であるが、漏洩量によるガスケットの相対比較は困難な場合が多い。
【００２８】
一方、気体の漏洩は定量しやすく、漏洩量によるガスケットの相対比較はたやすいが、気体と液体とでは、その粘度や分子量の大きさから、例えば気体漏洩量は同じ圧力条件下の液体漏洩量の１０００倍以上に達することがある。そのため、特に、気液混合状態でのシール性が要求される、例えば、高温熱媒体ラインに使用されるガスケットの評価には気体、液体両方の漏洩試験を実施し、気体漏洩量によるガスケットの相対比較と、液体漏洩の有無を確認することによる合否判定を行うことが、より確かな評価を可能とすることとなる。
【００２９】
本発明の漏洩量測定装置１によれば、以下に詳述するように、小スケールで実際のガスケットの締め付け条件その他の使用条件が実現されると共に、その条件下における気体漏洩も液体漏洩も測定することが可能である。さらに、常温では固体の腐食性薬液に対する測定であっても、取り扱い性よく、簡便にそれに対するガスケットのシール性の評価を行うことができる。
【００３０】
以下は、本発明の漏洩量測定装置１を用いて高温用熱媒体下で使用されるガスケットの、気体の漏洩試験液体の漏洩試験の実施手順を説明する。
この漏洩量測定装置１(試験装置)によれば、高温用熱媒体のように、常温では固体(結晶状態)で取扱が困難な腐食性薬液であっても、取扱性よく、かつ、実機環境に近い条件での気体液体双方の結果を得ることができ、これらの結果に基づく信頼性の高いガスケットの評価が行えることが理解できるものと考える。
【００３１】
(２)気体漏洩量測定方法
（ａ）パーツＡ、Ｂのフランジ３，５間に、測定しようとする試験サンプル１８(以下「ガスケット」という。)を装着し、ボルト１３、ナット１４で所定の締め付け面圧を与えて、パーツＡ−Ｂ組立体とする。
（ｂ）漏洩量測定装置１の内部において実際にガスケット１８が使用される腐食環境を実現するために、パーツＣに腐食性薬液(高温用熱媒体「ＨＴＳ」は常温では固体である。)を充填し、パーツＣのフランジ６に設けられたガスケット装着溝（環状凹部１５）に中空メタルＯリング１１を装着する。
（ｃ）パーツＡ−Ｂ組立体のパーツＢ側のフランジ６とパーツＣのフランジ８とを所定締め付け面圧によりボルト１３、ナット１４で締結し、漏洩量測定装置１を完成させる(図３)。
（ｄ）次に、図４に示すように、漏洩量測定装置１を反転させ、パーツＣが上に位置するように置く。このとき、パーツＣの容積はパーツＡの容積より大きいため、反転前にパーツＣの容積に十分量の薬液が充填されていれば、反転後、腐食性薬液はガスケット１８と接触させることができ、ガスケット１８は使用環境と同じ腐食性環境下に曝されることとなる。
（ｅ）劣化処理；使用条件と同じ高温条件を実現するために漏洩量測定装置１を電気炉等で所定時間加熱処理を行う(図４)。このとき、固体状の高温用熱媒体は、融点以上に加熱され、液状となり、ガスケット１８の使用環境と同じ環境が実現する。また、より劣化を促進するため漏洩量測定装置１内（各筒体２，４，７内）をＮ2ガスで加圧する。
（ｆ）所定時間加熱後、所定温度(固化する少し前の)温度)まで降温し、図５に示すように再度、漏洩量測定装置１を反転させ、炉内で常温まで冷却する。
（ｇ）パーツＣを取り外し、腐食性薬液を回収する。(漏洩量測定装置１を反転させているのでパーツＣに薬液は集まり、固体の状態でパーツＣに回収される。)
（ｈ）パーツＡ−Ｂ組立体に再度、中空メタルＯリング１１を装着したパーツＣを所定面圧にてボルト１３、ナット１４で締結し漏洩量測定装置１を組み立てる。
（ｉ）図６に示すように、漏洩量測定装置１のパーツＣに設けられたＮ2ガス導入孔に減圧弁等を介してＮ2ボンベを接続し、これを、水中に浸漬させる(水没法)。
（ｊ）減圧弁を開き、所定圧力でＮ2ガスを漏洩量測定装置１に導入し、ガスケット１８の装着部であるパーツＡ、Ｂのフランジ３、５間から漏洩してくるガスをメスシリンダー等により捕集しその容積により、ガス漏洩量を求める。
（ｋ）大気圧まで減圧した後、パーツＣを取り外す。
なお、常温で液体の薬液の場合には、前記した漏洩量測定装置１９或いはパーツＡと有底のパーツＢからなる簡易形の漏洩量測定装置(図８、図９)でもよい。
【００３２】
(３)液体漏洩量測定方法
（ａ）〜（ｇ）までは、前記した(１)のガスによる漏洩量測定方法と同様に行う。また、気体漏洩量測定方法に続けて液体漏洩量の測定を実施して総合評価をすることもできる。
（ｈ）パーツＡ−Ｂ組立体のパーツＢの開口部から測定流体を充填する。液面はパーツＡ，Ｂの接合面以上となるようにし、ガスケット１８が測定流体と接触するようにする。(図７)
（ｉ）パーツＡ−Ｂ組立体に再度、中空メタル○リング１１を装着したパーツＣを所定面圧にてボルト１３、ナット１４で締結し、漏洩量測定装置１を組み立てる。
（ｊ）図７に示すように、漏洩量測定装置１のパーツＣに設けられたＮ2ガス導入孔９に減圧弁等を介してＮ2ボンベを接続し、減圧弁を開き、所定圧力でＮ2ガスを漏洩量測定装置１に導入し、ガスケット１８に所定の内圧が負荷されるようにする。
（ｋ）ガスケット装着部であるパーツＡ，Ｂ間からの液体漏洩の有無を確認する。漏洩が認められた場合は、漏洩してくる液体捕集しその容積により、液体漏洩量を求める
【００３３】
(４)レファレンス(対照試験)について
以上の漏洩量測定による評価方法には、対照試験としてガスケット劣化処理を行わない場合の漏洩試験をあわせて実施すべきである。これにより、標準条件(初期条件)におけるガスケットの漏洩量を知ることができる。これに対して、劣化処理後どの程度の漏洩量の増大があったかを比較することにより、使用条件における評価をより適切に行えるからである。
【００３４】
実験例
この発明の実験例を以下に説明する。高温用熱媒として、代表的な溶融塩熱媒体であるＨＴＳ(例えばNeoSK−ＳＡＬＴ（KNO3,NaNO3、NaNO3混合物、融点142℃、製造元:綜研テクニックス株式会社）(HTSは一般名、NeoSK−ＳＡＬＴは商品名)が使用されている配
管ライン用のシール材として渦巻き形ガスケットを採用できるか否かをこの発明の漏洩量測定装置１を用いて評価した。
【００３５】
(１)供試ガスケット
渦巻き形ガスケット１
日本バルカー工業株式会社製  商品名バルカタイト  ＮＯ．５９６
フィラー  ：特殊石綿紙
フープ：ＳＵＳ３０４
内・外輪：ＳＵＳ３０４
渦巻き形ガスケット２
日本バルカー工業株式会社製  商品名クリーンタイト
【００３６】
（２）試験条件
高温用熱媒であるＨＴＳは極めて腐食性が高く、熱媒としての使用温度は４２０℃という高温に達するラインである。試験条件としては、以下の条件を設定した。
＊試験サイズ：ＪＩＳ  １０Ｋ  ２５Ａ
(ＪＩＳ定める１０Ｋ２５Ａスケジェール管に対応するフランジおよびガスケット寸法)
＊劣化条件腐食性流体:ＨＴＳ
温度条件：４２０℃
圧力：0.1MPa  Ｎ2ガス
時間：１週間
【００３７】
＊漏洩量測定
漏洩量の測定は、ガスケッットの使用環境が気液混合状態と考えられるため、気体の漏洩量測定と液体の漏洩量測定の両方を実施その総合的評価により、供試したガスケットが使用に耐えられるかを評価した。
【００３８】
気体の漏洩量の測定
気体: Ｎ2ガス
圧力条件：1.0MPa  加圧下
【００３９】
液体の漏洩量の測定
液体:水(ＨＴＳでの試験は危険であるため、水で代用した。)
圧力条件
＊ガスケットの締め付け面圧：初期締め付け面圧(＊注)  68.6Pa(シール面への初期なじみ)劣化処理時および、漏洩量測定時の締め付け面圧
(＊注)
「初期締め付け面圧」とは、ガスケットとフランジ間の間隙をなくし(いわゆる、「なじみ性」を与える。)、接面漏洩を防止するとともに、ガスケットが十分に圧縮され本来のシール機能を発揮するのに必要な締め付け力として設定されたものである。ガスケットは、継続使用により応力緩和が生ずるため、通常、シール機能に必要な面圧より、高めに設定される。
【００４０】
＊漏洩量測定装置１（試験装置）
この評価に必要な耐熱性および薬液に対する耐食性をもった装置とするため、漏洩量測定装置１の各パーツＡ，Ｂ，Ｃには試験条件に対して耐食性があり安価なＳＴＰＧ材、中空メタル０リングにはＳＵＳ３２１材（日本バルカー工業株式会社製、寸法：外径５０ｍｍ×管径１．６ｍｍ）を用いた。
【００４１】
(3)試験方法
(3)-1  初期漏洩量の測定(対照試験)
（ａ）漏洩量測定装置１のパーツＡ，Ｂのフランジ間に供試ガスケットを装着し、トルクレンチにて68.6MPaの初期締め付け面圧を供試ガスケットに負荷しシール面に対してなじみ性を与えた。次に供試ガスケットの継続使用よる応用緩和を想定して41.2MPaまで締め付け力を緩めた。すなわち、評価は、初期締め付け力を付与後、一定期間継続使用され、応力緩和により41.2MPaの締め付け面圧となった状態での漏洩量により評価することとした。
（ｂ）つぎに、中空メタル○リング１１を介装してパーツＣを、18kNで締め付け、漏洩量測定装置１を組み立て、劣化処理を施すことなくそのまま図６に示すように漏洩量測定装置により、1.0MPaのＮ2ガス加圧下で、ガスケット装着部であるパーツＡ，Ｂ間から漏洩の有無を確認したが、供試ガスケット１，２とも漏洩は認められなかった。
（ｃ）続けて、パーツＣを取り外し、パーツＡ−Ｂ組立体に水を充填し、ガスケットを水に接触させ図７に示す漏洩量測定装置１にて1.0MPaＮ2ガス加圧下で装置内部に導入し、ガスケットの装着部であるパーツＡ，Ｂ間からの漏洩の有無を確認したが、供試ガスケット１，２とも漏洩は認められなかった。
【００４２】
(3)-２劣化後の漏洩量測定
（ａ）漏洩量測定装置１のパーツＡ、Ｂフランジ間に供試ガスケットを装着し、トルクレンチにて68.6MPaの初期締め付け面圧をガスケットに負荷しシール面に対してなじみ性を与えた。次にガスケットの継続使用による応力緩和を想定して41.2MPaまで締め付け力を緩めた。
（ｂ）つぎに、中空メタルＯリング１１を介装してパーツＣを、18kNで締め付け、測定装置を組み立て(図４)、試験方法の手順(２)に従って、パーツＣにＨＴＳ液を充填し、電気炉内温度４２０℃、Ｎ2ガス0.1MPa加圧下、1週間放置して、劣化処理を行った。
なお、ＨＴＳの回収は、Ｎ2ガスを大気圧まで減圧し、炉内温度が２５０℃にまで下がってから、漏洩量測定装置１をパーツＡが.上側となるように反転させて常温となるまで放置後、パーツＣから回収した。
（ｃ）漏洩量測定装置１を水洗し、ＨＴＳを完全に除去した後、乾燥させた。
（ｄ）予備のパーツＣをメタル中空Ｏリング１１を介してＡ−Ｂ組立体に締結し、再度漏洩量測定装置を組み立てた。
（ｅ）試験方法の手順(２)に従って、装置１内をＮ2ガス1.0MPAの圧力下、水没法により、メスシリンダにてガス漏洩量を測定した(図６)。
漏洩量(ml/min)＝捕集容積÷捕集時間
この結果、供試ガスケット１の気体漏洩量が43ml/min、供試ガスケット２は213ml/minであった。
（ｋ）続けて、パーツＣを取り外し、パーツＡ−Ｂ組立体に水を充填し、ガスケットを水に接触させ図7に示す漏洩量測定装置１にて1.0MPaＮ2ガス加圧下で装置内部に導入し、ガスケット装着部であるパーツＡ，Ｂ間からの漏洩の有無を確認した。供試ガスケット１からの漏洩は認められなかった。しかし、供試ガスケット２からは外観上僅かな漏れが認められた。
（Ｌ）以上の結果、劣化処理により、液体(水)漏洩量の測定からは、漏れが認められなかったが、気体漏洩量の測定からは、劣化処理により供試ガスケット１よりも、供試ガスケット２の方がその影響を大きく受けていることが明らかとなり、ＨＴＳラインに使用するガスケットとしては、ガスケット１の方が望ましいものであることが分かった。
この結果は、実機試験による結果と符合するものであった。
【図面の簡単な説明】
【００４３】
【図１】本発明にかかる一例のガスケットの漏洩量測定装置（Ｎ2ガス導入孔を省略）の斜視図である。
【図２】図１に示す漏洩量測定装置の概略構成を示す説明図である。
【図３】図１に示す漏洩量測定装置を使用した気体漏洩量測定方法における漏洩量測定過程を示す説明図である。
【図４】図１に示す漏洩量測定装置を使用した気体漏洩量測定方法における漏洩量測定過程を示す説明図である。
【図５】図１に示す漏洩量測定装置を使用した気体漏洩量測定方法における漏洩量測定過程を示す説明図である。
【図６】図１に示す漏洩量測定装置を使用した気体漏洩量測定方法における漏洩量測定過程を示す説明図である。
【図７】図１に示す漏洩量測定装置を使用した液体漏洩量測定方法における漏洩量測定過程を示す説明図である。
【図８】本発明にかかる他の例のガスケットの漏洩量測定装置（Ｎ2ガス導入孔を省略）の斜視図である。
【図９】図８に示す漏洩量測定装置の使用時の説明図である。
【図１０】従来の一例のガスケットの漏洩量測定装置を示す説明図である。
【符号の説明】
【００４４】
１、１９  漏洩量測定装置
Ａ      パーツ
Ｂ      パーツ
Ｃ      パーツ
２      筒体
３      フランジ
４      筒体
５      フランジ
６      フランジ
７      筒体
８      フランジ
９      気体導入孔
１０    締結手段
１１    シール部材
１８    （供試）ガスケット
【図１】
2005326264.tif 000003
【図２】
2005326264.tif 000004
【図３】
2005326264.tif 000005
【図４】
2005326264.tif 000006
【図５】
2005326264.tif 000007
【図６】
2005326264.tif 000008
【図７】
2005326264.tif 000009
【図８】
2005326264.tif 000010
【図９】
2005326264.tif 000011
【図１０】
2005326264.tif 000012